(57)【特許請求の範囲】
【請求項１】
コネクタハウジングにブラケット装着部が設けられたコネクタに対して装着されるコネクタホルダであって、
前記コネクタハウジングの外周面に密接状態で装着される枠体状のホルダ本体と、
前記ホルダ本体の内面に突設されて、前記ブラケット装着部に嵌合固定される嵌合部と、
前記ホルダ本体の外面に突設されて前記ブラケット装着部とは構成が異なる代替ブラケット装着部と、を備えており、
前記ホルダ本体が、前記コネクタハウジングにおいて相互に対向する第１側面と第２側面にそれぞれ密接される第１部分枠体と第２部分枠体から構成されており、
前記第１部分枠体と前記第２部分枠体の各一方の端部同士がヒンジ部を介してヒンジ連結されている一方、
前記第１部分枠体と前記第２部分枠体の各他方の端部に設けたロック部と被ロック部が圧接状態でロック嵌合されており、
前記第２部分枠体が、前記コネクタハウジングの前記第２側面が密接される底壁と、該底壁の幅方向両側から上方に向かって突出する一対の側壁を備え、正面視で略Ｕ字形状を有している一方、
前記底壁の内面には、前記嵌合部が上方に向かって突設されており、前記嵌合部に近接する側の前記側壁と前記底壁によって前記コネクタに設けられた前記ブラケット装着部を収容する装着部収容領域が画成されており、
前記装着部収容領域には、前記嵌合部よりも上方に突出して、前記底壁と前記側壁の両方に連結されたガイド突起が設けられているコネクタホルダ。
【請求項２】
前記ホルダ本体には、前記コネクタハウジングの前記外周面に圧接される圧接リブが設けられている請求項１に記載のコネクタホルダ。
【請求項３】
前記ホルダ本体には、前記コネクタに当接して前記コネクタの電線延出方向後方側への抜け出しを阻止する当接部が設けられている請求項１または請求項２に記載のコネクタホルダ。
【発明の詳細な説明】
【技術分野】
【０００１】
本発明は、取付ブラケットにコネクタを固定するために用いられるコネクタホルダに関するものである。
【背景技術】
【０００２】
従来から、自動車等の車両に配索されたワイヤハーネスの適所に設けられたコネクタは、例えば、特開平１０−１８９１５５号公報（特許文献１）に記載されているように、コネクタハウジングに設けられたブラケット装着部を介して、車両の適所に突設された取付ブラケットに装着されて固定されるようになっている。
【０００３】
ところで、このようなコネクタに設けられたブラケット装着部は、装着対象である特定形状の取付ブラケットに対応した形状を有していることから、形状が異なる取付ブラケットが設けられた異なる車種においては、ブラケット装着部の装着が困難となる。それゆえ、車両に配設された取付ブラケットに応じたブラケット装着部を備えた専用のコネクタを異なる車種毎に準備する必要があった。
【０００４】
ところが、専用のコネクタを異なる車種毎に準備するためには、その度に専用の金型をおこす必要であり大幅なコストアップにつながる上に、かかる多種類のコネクタを準備することは部品管理の観点からも煩雑で作業性の悪化を招くおそれがあった。また、顧客から使用するコネクタを指定される場合もあることから、指定されたコネクタ自体は変えずに対策を行うことが求められていた。
【先行技術文献】
【特許文献】
【０００５】
【特許文献１】特開平１０−１８９１５５号公報
【発明の概要】
【発明が解決しようとする課題】
【０００６】
本発明は、上述の事情を背景に為されたものであって、その解決課題は、コネクタ自体に変更を施すことなく、かかるコネクタを形状の異なる取付ブラケットへ装着可能とする、新規な構造のコネクタホルダを提供することにある。
【課題を解決するための手段】
【０００７】
本発明の第一の態様は、コネクタハウジングにブラケット装着部が設けられたコネクタに対して装着されるコネクタホルダであって、前記コネクタハウジングの外周面に密接状態で装着される枠体状のホルダ本体と、前記ホルダ本体の内面に突設されて、前記ブラケット装着部に嵌合固定される嵌合部と、前記ホルダ本体の外面に突設されて前記ブラケット装着部とは構成が異なる代替ブラケット装着部と、を備えており、前記ホルダ本体が、前記コネクタハウジングにおいて相互に対向する第１側面と第２側面にそれぞれ密接される第１部分枠体と第２部分枠体から構成されており、前記第１部分枠体と前記第２部分枠体の各一方の端部同士がヒンジ部を介してヒンジ連結されている一方、前記第１部分枠体と前記第２部分枠体の各他方の端部に設けたロック部と被ロック部が圧接状態でロック嵌合されており、前記第２部分枠体が、前記コネクタハウジングの前記第２側面が密接される底壁と、該底壁の幅方向両側から上方に向かって突出する一対の側壁を備え、正面視で略Ｕ字形状を有している一方、前記底壁の内面には、前記嵌合部が上方に向かって突設されており、前記嵌合部に近接する側の前記側壁と前記底壁によって前記コネクタに設けられた前記ブラケット装着部を収容する装着部収容領域が画成されており、前記装着部収容領域には、前記嵌合部よりも上方に突出して、前記底壁と前記側壁の両方に連結されたガイド突起が設けられているものである。
【０００８】
本態様によれば、ホルダ本体が、装着対象となるコネクタにおけるコネクタハウジングの外周面に密接状態で装着される枠体状とされていることから、コネクタの大型化を回避しつつホルダ本体をコネクタに装着することができる。しかも、コネクタとコネクタホルダの固定は、コネクタに設けられた既存のブラケット装着部に嵌合固定される嵌合部をホルダ本体の内面に突設し、既存のブラケット装着部を利用して実現していることから、部品点数の増加を伴うことなくコスト効率よく行うことができる。
【０００９】
ここで、コネクタホルダの嵌合部とコネクタのブラケット装着部との嵌合固定には、嵌合時の弾性変形を許容する隙間が伴うことが避けられないが、ホルダ本体を密接状態でコネクタハウジングに装着することで、かかる隙間を吸収して、コネクタに装着されたコネクタホルダのがたつきの発生が有利に防止されている。これにより、コネクタとコネクタホルダ間のがたつきやそれに伴う異音の発生や耐久性の低減の問題が有利に解消されている。
【００１０】
加えて、ホルダ本体の外面には、ブラケット装着部とは構成が異なる代替ブラケット装着部が突設されていることから、コネクタに設けられたブラケット装着部に対して車両に突設された取付ブラケットの装着が困難な場合にも、ホルダ本体の外面に突設された代替ブラケット装着部の構成を対象の取付ブラケットが装着可能なものとすることにより、コネクタを一切変更することなく、当該コネクタを、所望の取付ブラケットに装着することが可能となるのである。それゆえ、コネクタ自体に変更を施す必要がないことから、専用のコネクタを異なる車種毎に準備する場合に比してコストアップを有利に回避できる。また、顧客から指定されたコネクタに設けられたブラケット装着部が、車両に設けられた取付ブラケットに対して取付けが困難な場合でも、かかる車両の取付ブラケットに装着可能な代替ブラケット装着部を備えたコネクタホルダを装着するだけで、指定コネクタの使用が可能となる。
【００１１】
なお、コネクタに設けられたブラケット装着部とは構成が異なる代替ブラケット装着部には、コネクタのブラケット装着部と嵌合構造（ランス構造とクリップ構造等）が異なるものや、嵌合方向が異なるもの、嵌合構造や嵌合方向は同一であっても、ブラケット装着部とはコネクタハウジングに対する配設位置が異なるものが含まれる。
【００１３】
本態様によれば、ホルダ本体を構成する第１部分枠体と第２部分枠体が、一方の端部でヒンジ連結されている一方、他方の端部では、ロック部と被ロック部が圧接状態でロック嵌合されている。それゆえ、ホルダ本体を分割構造としてコネクタへの装着を容易にしつつ、圧接状態でのロック嵌合とすることで、コネクタとコネクタホルダ間のがたつきを有利に防止することができる。
【００１５】
本態様によれば、第２部分枠体が上方が開口部となる略Ｕ字形状で形成されており、底壁に嵌合部が上方に向かって突設されている。これにより、コネクタをコネクタホルダの第２部分枠体に装着しつつコネクタホルダの嵌合部をコネクタのブラケット装着部に組み付ける作業を、コネクタを第２部分枠体の上方開口部から差し入れることで行うことができ、良好な組付作業性を実現することができる。
【００１６】
しかも、第２部分枠体の底壁には、嵌合部よりも上方に突出するガイド突起が突設されていることから、コネクタを第２部分枠体の上方開口部から差し入れる際に、ブラケット装着部と嵌合部の位置合わせを確実に行い、ブラケット装着部への嵌合部の嵌合をスムーズに行うことができる。
【００１７】
さらに、ガイド突起は、コネクタに設けられたブラケット装着部を収容する装着部収容領域を画成する第２部分枠体の底壁と側壁の両方に連結されていることから、ホルダ本体を第１部分枠体と第２部分枠体に分割したことによる剛性低減の問題が有利に解消されており、第２部分枠体やホルダ本体全体の剛性や形状安定性をガイド突起を利用しつつ実現することができる。
【００１８】
本発明の第二の態様は、前記第一の態様に記載のものにおいて、前記ホルダ本体には、前記コネクタハウジングの前記外周面に圧接される圧接リブが設けられているものである。
【００１９】
本態様によれば、ホルダ本体にコネクタハウジングの外周面に圧接される圧接リブが設けられていることから、コネクタとコネクタホルダを確実に密接状態に維持できて、隙間の存在によるがたつきの発生の問題をより確実に解消することができる。
【００２０】
本発明の第三の態様は、前記第一または第二の態様に記載のものにおいて、前記ホルダ本体には、前記コネクタに当接して前記コネクタの電線延出方向後方側への抜け出しを阻止する当接部が設けられているものである。
【００２１】
本態様によれば、ホルダ本体には、コネクタの電線延出方向の両側でコネクタに当接してコネクタの抜け出しを阻止する当接部が設けられていることから、コネクタに電線から引張力が及ぼされた際には、ホルダ本体の当接部がコネクタに当接してコネクタの変位を阻止して抜け出しを防止することができる。それゆえ、コネクタをコネクタホルダに対して安定して保持することができる。
【発明の効果】
【００２２】
本発明によれば、ホルダ本体が、装着対象となるコネクタにおけるコネクタハウジングの外周面に密接状態で装着されることから、コネクタの大型化を回避できる。しかも、コネクタとコネクタホルダの固定は、既存のブラケット装着部を利用して実現していることから、部品点数の増加を伴うことなくコスト効率よく行うことができる。ここで、嵌合時の弾性変形を許容する隙間が伴うことが避けられないが、ホルダ本体を密接状態でコネクタハウジングに装着することで、かかる隙間を吸収できる。これにより、コネクタとコネクタホルダ間のがたつきやそれに伴う異音の発生や耐久性の低減の問題が有利に解消されている。加えて、ホルダ本体の外面には、ブラケット装着部とは構成が異なる代替ブラケット装着部が突設されていることから、代替ブラケット装着部の構成を対象の取付ブラケットが装着可能なものとすることにより、コネクタを一切変更することなく、当該コネクタを、所望の取付けブラケットに装着できる。それゆえ、専用のコネクタを異なる車種毎に準備する場合に比してコストアップを有利に回避できる。また、顧客から指定されたコネクタに設けられたブラケット装着部が車両に設けられた取付ブラケットに対して取付けが困難な場合でも、本発明のコネクタホルダにより指定コネクタの使用が可能となる。
【図面の簡単な説明】
【００２３】
【図１】本発明の一実施形態としてのコネクタホルダを示す斜視図。
【図２】図１の正面図。
【図３】図１の平面図。
【図４】本実施形態のコネクタホルダと、コネクタホルダが装着されるコネクタを示す斜視図。
【図５】本実施形態のコネクタホルダの第２部分枠体に対して、コネクタが載置された状態を示す斜視図。
【図６】図５に示すコネクタが載置されたコネクタホルダを別方向から見た斜視図。
【図７】図５に示すコネクタホルダをコネクタに密接状態で装着した斜視図。
【図８】図７に示すコネクタに密接状態で装着されたコネクタホルダを別方向から見た斜視図であって、取付ブラケットを追加記載した図。
【発明を実施するための形態】
【００２４】
以下、本発明の実施形態について、図面を参照しつつ説明する。
【００２５】
先ず、図１〜３には、本発明の一実施形態としてのコネクタホルダ１０が、示されている。コネクタホルダ１０は、枠体状のホルダ本体１２と、ホルダ本体１２の内面に突設された嵌合部１４と、ホルダ本体１２の外面に突設された代替ブラケット装着部１６と、を備えて構成されている。なお、以下の説明において、上方とは、図２中の上方、下方とは、図２中の下方を言い、また前方とは、図３中の下方、後方とは、図３中の上方を言い、さらに長さ方向とは、図３中の上下方向、幅方向とは、図３中の左右方向を言うものとする。
【００２６】
ホルダ本体１２は、図１〜３に示されているように、全体として略矩形枠体形状を呈しており、例えばポリプロピレン（ＰＰ）、ポリアミド（ＰＡ）等の絶縁性の合成樹脂により射出成形等によって一体形成されている。ホルダ本体１２は、長さ方向（図２中、紙面に垂直な方向）に向かって略クランク断面形状で延出する第１部分枠体１８と、長さ方向に向かって略Ｕ字断面形状で延出する第２部分枠体２０から構成されている。かかる第１部分枠体１８と第２部分枠体２０は、幅方向（図３中、左右方向）の一方の端部同士が、略薄肉平板状のヒンジ部２２を介してヒンジ連結されている一方、幅方向の他方の端部同士が、第１部分枠体１８に設けられたロック部２４と第２部分枠体２０に設けられた被ロック部２６によって、ロック嵌合されるようになっている。ここで、ロック部２４は、図１〜２に示されているように、第１部分枠体１８の他方の端部の長さ方向中央部において内方に向かって突設されたロック爪によって構成されている一方、被ロック部２６は、後述する図６に示されているように、第２部分枠体２０の他方の端部の長さ方向中央部において外方に向かって突設されたロック突部によって構成されている。
【００２７】
より詳細には、第１部分枠体１８は、一端部にロック部２４が突設された略平板状の天壁２７を備えており、天壁２７の内面には、後述する図６に示されているように、天壁２７の内面の長さ方向中央部において周方向の略全長に亘って延びる略平板状の第１圧接リブ２８と、かかる第１圧接リブ２８の周方向中央部から後方（図６中、手前側）に向かって第１圧接リブ２８と同じ突出高さで延び出し後端部に到る一対の補強リブ３０，３０から構成されている。
【００２８】
一方、第２部分枠体２０は、長さ方向に延出する平面視で略矩形平板状の底壁３２と、かかる底壁３２の幅方向（図２中、左右方向）両側から上方に向かって突出する側面視で略矩形状の一対の側壁３４ａ，３４ｂを備え、正面視で略Ｕ字形状を有している。より詳細には、第１部分枠体１８と連接する一方の側壁３４ａの突出高さ寸法は、他方の側壁３４ｂの突出高さ寸法の略半分とされている。また、底壁３２の内面における一方の側壁３４ａ側には、長さ方向の中央部から前端部に到るまで延び出す側面視で略矩形平板状の嵌合部１４が上方に向かって突設されており、かかる嵌合部１４に近接する側の一方の側壁３４ａと底壁３２によって装着部収容領域３６が画成されている。さらに、装着部収容領域３６には、嵌合部１４の後方側に僅かに離隔した位置において、底壁３２の内面から上方に向かって突出しかつ一方の側壁３４ａの内面に向かって延出されて連結された正面視で略逆Ｌ字平板状（図２参照）のガイド突起３８が形成されている。かかるガイド突起３８は、図２に示されているように、嵌合部１４よりも上方に突出して形成されている。また、ガイド突起３８と、底壁３２および一方の側壁３４ａを連結する部位の後方側において、ガイド突起３８を補強する略三角断面形状の補強リブ４０が設けられている（図３および図６参照）。
【００２９】
加えて、第２部分枠体２０の他方の側壁３４ｂと底壁３２の内面には、図１〜３に示されているように、周方向の略全長に亘って延び出すと共に内方に向かって突出する正面視で略Ｌ字平板状の第２圧接リブ４２が設けられている。かかる第２圧接リブ４２には、周方向に離隔する３箇所において後方に向かって延び出す補強リブ４４が設けられている。また、他方の側壁３４ｂの外面には、周方向の略全長に亘って略門形状で延び出す代替ブラケット装着部１６が形成されていると共に、他方の側壁３４ｂの突出端部の外面には、被ロック部２６が外方に向かって突設されている。より詳細には、代替ブラケット装着部１６内には、後述する取付ブラケット７４が挿通されて嵌合される取付ブラケット装着部４６が上下方向に貫通して形成されており、かかる取付ブラケット装着部４６内には、先端部に嵌合突部４８を有するロック片が設けられている（図６参照）。なお、代替ブラケット装着部１６は、後述するコネクタハウジング５２に設けられたブラケット装着部６８とは、異なる構成を有している。
【００３０】
このような構成とされたコネクタホルダ１０が、図４〜８に示されているように、コネクタ５０に対して装着されるようになっている。より詳細には、コネクタ５０は、図示しない複数の電線の端末に設けられており、コネクタ５０の前方側（図４中、手前側）より図示しない相手側コネクタが連結されるようになっている。より詳細には、図４に示されているように、コネクタ５０を構成するコネクタハウジング５２は略ブロック形状とされており、例えばポリプロピレン（ＰＰ）、ポリアミド（ＰＡ）等の合成樹脂により射出成形等によって一体形成されている。かかるコネクタハウジング５２には、例えば金属製の端子金具５４がモールドされており、かかる端子金具５４の一端部が、コネクタハウジング５２の前方に向かって開口する正面視で略矩形状の相手側コネクタ装着部５６内において前方に向かって突出されて、一対のタブ端子５８ａ，５８ｂを構成している。かかる一対のタブ端子５８ａ，５８ｂは、例えば一方のタブ端子５８ａが電源用端子とされている一方、他方のタブ端子５８ｂがアース用端子とされている。一方、端子金具５４の他端部は、図６に示されているように、コネクタハウジング５２の後面６０から後方に向かって突設された筒状部において後方に開口する背面視で略円形状の圧着端子装着部６２ａ，６２ｂ内に収容配置されるようになっている。そして、図示しない複数の電線の端末に圧着された圧着端子が圧着端子装着部６２ａ，６２ｂ内に装着されることにより、各圧着端子に対して電源電圧もしくはアース電位が供給されるようになっているのである。なお、ここで、例えば、最も下方に突設された圧着端子装着部６２ｂ内にはアース用端子が接続されてアース電位が供給されるようになっている一方、残りの１２個の圧着端子装着部６２ａ内には電源用端子が接続されて電源電圧が供給されるようになっている。
【００３１】
加えて、コネクタハウジング５２は、相互に対向する第１側面６４ａと第２側面６４ｂを備えている。ここで、第１側面６４ａは、正面視で右側に位置し逆Ｌ字状に延びる側面とされている一方、第２側面６４ｂは、正面視で左側に位置しＬ字状に延びる側面とされている。また、コネクタハウジング５２の上面には、正面視で右端側において、前端側から後方側に向かって略矩形断面形状で延び出す被当接部６６が設けられている。さらに、コネクタハウジング５２の第１側面６４ａの下端部側には、上下方向に向かって略門形状で延びるブラケット装着部６８が外方に向かって突設されている。かかるブラケット装着部６８内には、コネクタホルダ１０の嵌合部１４が挿通配置される挿通孔７０が上下方向に貫通して形成されている。そして、かかる挿通孔７０内には、先端部に嵌合突起７２を有するロック片が設けられている。
【００３２】
次に、図４〜８を用いて、このような構成とされたコネクタハウジング５２に対して、本実施形態のコネクタホルダ１０を装着するやり方について説明する。まず、図４〜６に示されているように、コネクタハウジング５２を、上方側からコネクタホルダ１０の第２部分枠体２０内に載置する。この際、コネクタハウジング５２のブラケット装着部６８の後方側の側面を、第２部分枠体２０のガイド突起３８の前面に当接させた状態で下方に押し込むことにより、ブラケット装着部６８の挿通孔７０内に嵌合部１４がガイドされて、嵌合部１４の突出端部がロック片の嵌合突起７２に嵌合されるようになっている。かかる状態で、第２部分枠体２０の第２圧接リブ４２の突出端部が、コネクタハウジング５２の最も下方に突設された圧着端子装着部６２ｂの外周面に圧接されるようになっている（図６参照）一方、第２部分枠体２０の装着部収容領域３６にブラケット装着部６８が収容されるようになっている（図５参照）。
【００３３】
次に、第１部分枠体１８のロック部２４に設けられたロック爪を、第２部分枠体２０の被ロック部２６に設けられたロック突部に対して圧接状態でロック嵌合することにより、図７〜８に示されているように、コネクタホルダ１０の第１部分枠体１８と第２部分枠体２０が、コネクタハウジング５２において相互に対向する第１側面６４ａと第２側面６４ｂにそれぞれ密接されて、コネクタハウジング５２に対するコネクタホルダ１０の装着が完成するのである。そして、かかるコネクタホルダ１０が装着されたコネクタ５０のコネクタハウジング５２の取付ブラケット装着部４６内のロック片の嵌合突部４８に対して、車両に設けられた取付ブラケット７４の嵌合孔７６に嵌合されるようになっているのである（図８参照）。
【００３４】
このように、コネクタホルダ１０のホルダ本体１２がコネクタハウジング５２の外周面に対して密接状態で装着されることにより、第２部分枠体２０の底壁３２に対してもコネクタハウジング５２の外周面の第２側面６４ｂが密接されるようになっている。また、図６および図８から分かるように、かかる状態において、第１部分枠体１８の第１圧接リブ２８の突出端部が、コネクタハウジング５２の後面６０から後方に向かって突設された筒状部の外周面に圧接されるようになっている。要するに、ホルダ本体１２の第１部分枠体１８と第２部分枠体２０にはそれぞれ、対向するコネクタハウジング５２の第１側面６４ａと第２側面６４ｂたる圧着端子装着部６２ａ，６２ｂを構成する筒状部の外周面に圧接される第１圧接リブ２８と第２圧接リブ４２が設けられているのである。さらに、図示しない電線が後方側に引っ張られる力が加わった際には、コネクタハウジング５２の後面６０がホルダ本体１２に設けられた第１当接リブ２８と第２当接リブ４２に当接することにより、コネクタ５０の電線延出方向後方側への抜け出しを阻止できるようになっている。また、コネクタハウジング５２の被当接部６６の後端部がホルダ本体１２の第１部分枠体１８の前端部７８に当接することにより、コネクタ５０の電線延出方向後方側への抜け出しを阻止できるようになっている。すなわち、ホルダ本体１２には、コネクタ５０の後面６０や被当接部６６に当接することによりコネクタ５０の電線延出方向後方側への抜け出しを阻止する当接部たる第１当接リブ２８と第２当接リブ４２および第１部分枠体１８が設けられているのである。
【００３５】
このような構造とされたコネクタホルダ１０によれば、コネクタホルダ１０のホルダ本体１２が、装着対象となるコネクタ５０のコネクタハウジング５２の外周面に密接状態で装着される枠体形状とされていることから、コネクタ５０の大型化を回避しつつホルダ本体１２をコネクタ５０に装着することができるようになっている。しかも、コネクタ５０とコネクタホルダ１０の固定は、コネクタ５０に設けられた既存のブラケット装着部６８に嵌合固定される嵌合部１４をホルダ本体１２の内面に突設することにより行われており、既存のブラケット装着部６８を利用して実現されていることから、部品点数の増加を伴うことなくコスト効率よく行うことができるのである。
【００３６】
かかるホルダ本体１２の嵌合部１４をコネクタハウジング５２のブラケット装着部６８に対して嵌合固定する際には、嵌合時の弾性変形を許容する隙間が必要となるが、本実施形態では、ホルダ本体１２を密接状態でコネクタハウジング５２に装着することによりかかる隙間を吸収して、コネクタホルダ１０のホルダ本体１２がコネクタ５０のコネクタハウジング５２に装着された際のがたつきの発生を有利に防止している。それゆえ、コネクタホルダ１０とコネクタ５０間のがたつきやそれに伴う異音の発生や耐久性の低減等の問題が有利に解消されている。また、ホルダ本体１２が第１部分枠体１８と第２部分枠体２０から構成されており、一方の端部同士がヒンジ連結されている一方、他方の端部同士が、ロック部２４と被ロック部２６によって圧接状態でロック嵌合されている。このように、ホルダ本体１２が分割構造とされていることによりコネクタ５０への装着が容易とされている一方、ホルダ本体１２がコネクタ５０に対して圧接状態でロック嵌合されていることによりコネクタホルダ１０とコネクタ５０間のがたつきを一層有利に防止できるようになっている。しかも、ホルダ本体１２には、コネクタハウジング５２の圧着端子装着部６２ａ，６２ｂを構成する筒状部の外周面に圧接される第１圧接リブ２８と第２圧接リブ４２が設けられていることから、コネクタホルダ１０のホルダ本体１２をコネクタ５０のコネクタハウジング５２に対して一層確実に密接状態に維持することができ、隙間の存在によるがたつきの発生の問題をより一層確実に解消することができるようになっている。
【００３７】
加えて、ホルダ本体１２の他方の側壁３４ｂの外面には、コネクタハウジング５２のブラケット装着部６８とは構成が異なる代替ブラケット装着部１６が突設されている。これにより、コネクタハウジング５２のブラケット装着部６８が取付ブラケット７４への装着が困難な場合であっても、ホルダ本体１２の代替ブラケット装着部１６の構成を取付ブラケット７４に装着可能なものとすることによって、コネクタ５０を一切変更することなく、当該コネクタ５０を、所望の取付ブラケット７４に対して装着することが可能となっている。それゆえ、従来の如き専用のコネクタを異なる車種毎に準備する場合に比して、コストアップを有利に回避できる。しかも、顧客から指定されたコネクタ５０に設けられたブラケット装着部６８が、所望の取付ブラケット７４に対して取付けが困難な場合であっても、取付ブラケット７４に装着可能な代替ブラケット装着部１６を備えたコネクタホルダ１０を装着することにより、顧客から指定されたコネクタ５０の使用が可能となるのである。
【００３８】
また、ホルダ本体１２の第２部分枠体２０が、上方が開口部となる略Ｕ字形状で形成されている。これにより、コネクタハウジング５２をホルダ本体１２の第２部分枠体２０に装着しつつ第２部分枠体２０に設けられた嵌合部１４にコネクタハウジング５２のブラケット装着部６８に組み付ける作業を、第２部分枠体２０の上方開口部からコネクタハウジング５２を挿し入れることで行うことができることから、良好な組付作業性を実現できる。しかも、第２部分枠体２０の底壁３２には、嵌合部１４よりも上方に突出するガイド突起３８が突設されていることから、第２部分枠体２０の上方開口部からコネクタハウジング５２を挿し入れる際に、コネクタハウジング５２のブラケット装着部６８の後方側の側面を、第２部分枠体２０のガイド突起３８の前面に当接させた状態で下方に押し込むことにより、ブラケット装着部６８と嵌合部１４の位置合わせを確実に行うことができると共に、ブラケット装着部６８への嵌合部１４の嵌合をスムーズに行うことができるようになっている。さらに、ガイド突起３８は、ホルダ本体１２の第２部分枠体２０の底壁３２と一方の側壁３４ａの両方に連結されていることから、ホルダ本体１２を第１部分枠体１８と第２部分枠体２０に分割したことによる剛性低減の問題が有利に解消されており、第２部分枠体２０やホルダ本体１２全体の剛性や形状安定性がガイド突起３８を利用することによって実現されている。
【００３９】
加えて、コネクタ５０の電線延出方向の両側において、ホルダ本体１２に設けられた当接部がコネクタ５０に当接することにより、コネクタ５０の電線延出方向での抜け出しが阻止されるようになっている。これにより、コネクタ５０をコネクタホルダ１０に対して安定して保持することができるようになっていると共に、コネクタ５０のブラケット装着部６８とコネクタホルダ１０の嵌合部１４に対して電線に加えられた力が及ぶことが阻止されて、コネクタホルダ１０のコネクタ５０に対する固定機能が有利に保持されるようになっている。
【００４０】
以上、本発明の実施形態について説明してきたが、かかる実施形態における具体的な記載によって、本発明は、何等限定されるものでない。例えば、上記実施形態では、コネクタホルダ１０に設けられた代替ブラケット装着部１６は、コネクタ５０に設けられたブラケット装着部６８とはコネクタハウジング５２に対する配設位置が異なっていたが、これ以外に嵌合構造（ランス構造とクリップ構造等）や嵌合方向等が異なっていてもよい。また、コネクタホルダ１０は、上記実施形態のように第１部分枠体１８と第２部分枠体２０から構成されておらず、固定された一体成形品として構成されていてもよい。さらに、コネクタホルダ１０には必ずしも圧接リブ２８，４２や当接部は必要ではない。
【符号の説明】
【００４１】
１０：コネクタホルダ、１２：ホルダ本体、１４：嵌合部、１６：代替ブラケット装着部、１８：第１部分枠体、２０：第２部分枠体、２２：ヒンジ部、２４：ロック部、２６：被ロック部、２８：第１圧接リブ（当接部）、３２：底壁、３４ａ：側壁、３４ｂ：側壁、３６：装着部収容領域、３８：ガイド突起（当接部）、４２：第２圧接リブ（当接部）、５０：コネクタ、５２：コネクタハウジング、６４ａ：第１側面、６４ｂ：第２側面、６８：ブラケット装着部、７８：前端部（当接部）
【図１】
0006697675.tif 000002
【図２】
0006697675.tif 000003
【図３】
0006697675.tif 000004
【図４】
0006697675.tif 000005
【図５】
0006697675.tif 000006
【図６】
0006697675.tif 000007
【図７】
0006697675.tif 000008
【図８】
0006697675.tif 000009